(57)【要約】【課題】ナビゲーションの経路と、その経路の走行中に再生された楽曲との関連付けを用いて楽曲を容易に選択する車載情報機器、経路楽曲情報データベース作成方法、楽曲情報検索方法、情報処理方法及びコンピュータプログラムを提供する。【解決手段】対応記録部８３は、ナビゲーション制御部８１において設定された経路を表す経路情報と、その経路を走行中にオーディオ制御部８２により再生された楽曲を表す楽曲情報とを対応付けて書換可能記憶媒体装置６に記録する。選択処理部８４は、書換可能記憶媒体装置６に記録されている前記各経路情報の各経路を提示してその選択を受け付け、選択された前記経路に対応する前記各楽曲情報の各楽曲を提示してその選択を受け付ける。【選択図】  図１
2004294262.tif 000002
【特許請求の範囲】
【請求項１】
ナビゲーションを行うナビゲーション手段と、楽曲の再生手段と、書き換え可能な記憶手段と、を備えた車載情報機器において、
コンピュータが、前記ナビゲーションにおいて設定された経路を表す経路情報と、その経路を走行中に再生された前記楽曲を表す楽曲情報とを対応付けて前記記憶手段に記録する手段を備えたことを特徴とする車載情報機器。
【請求項２】
ナビゲーションを行うナビゲーション手段と、楽曲の再生手段と、前記ナビゲーションにおける経路の経路情報とその経路に対応する前記楽曲の楽曲情報とを対応付けて格納した記憶手段と、を備えた車載情報機器において、
楽曲情報検索の要求があった場合に、前記記憶手段に記録されている前記各経路情報の各経路を提示してその選択を受け付け、選択された前記経路に対応する前記各楽曲情報の各楽曲を提示してその選択を受け付けることで前記楽曲を検索する手段を備えたことを特徴とする車載情報機器。
【請求項３】
ナビゲーションを行うナビゲーション手段と、楽曲の再生手段と、書き換え可能な記憶手段と、を備えた車載情報機器において、
前記ナビゲーションにおいて設定された経路を表す経路情報と、その経路を走行中に再生された前記楽曲を表す楽曲情報とを対応付けて前記記憶手段に記録する手段と、
楽曲情報検索の要求があった場合に、前記記憶手段に記録されている前記各経路情報の各経路を提示してその選択を受け付け、選択された前記経路に対応する前記各楽曲情報の各楽曲を提示してその選択を受け付けることを特徴とする車載情報機器。
【請求項４】
前記記憶手段は、ハードディスク装置であることを特徴とする請求項１から３のいずれかに記載の車載情報機器。
【請求項５】
書き換え可能な記憶手段を備え、ナビゲーションを行うナビゲーション処理と、楽曲の再生処理と、を行う車載情報機器のコンピュータが、前記ナビゲーションにおいて設定された経路を表す経路情報と、その経路を走行中に再生された前記楽曲を表す楽曲情報とを対応付けて前記記憶手段に記録する処理を含むことを特徴とする経路楽曲情報データベース作成方法。
【請求項６】
ナビゲーションを行うナビゲーション処理と、楽曲の再生処理と、を行い、前記ナビゲーションにおける経路の経路情報とその経路に対応する楽曲の楽曲情報とを対応付けて格納した記憶手段を備えた車載情報機器のコンピュータが、
楽曲情報検索の要求があった場合に、前記記憶手段に記録されている前記各経路情報の各経路を提示してその選択を受け付け、選択された前記経路に対応する前記各楽曲情報の各楽曲を提示してその選択を受け付けることを特徴とする楽曲情報検索方法。
【請求項７】
請求項５記載の経路楽曲情報データベース作成方法と、請求項６記載の楽曲情報検索方法と、を組み合わせたことを特徴とする情報処理方法。
【請求項８】
書き換え可能な記憶手段を備えた車載情報機器のコンピュータを制御することにより、ナビゲーションと楽曲の再生処理とを行わせるコンピュータプログラムにおいて、
そのプログラムは前記コンピュータに、
前記ナビゲーションにおいて設定された経路を表す経路情報と、その経路を走行中に再生された前記楽曲を表す楽曲情報とを対応付けて前記記憶手段に記録させ、
楽曲情報検索の要求があった場合に、前記記憶手段に記録されている前記各経路情報の各経路を提示してその選択を受け付け、選択された前記経路に対応する前記各楽曲情報の各楽曲を提示してその選択を受け付けることを特徴とするコンピュータプログラム。
【発明の詳細な説明】
【０００１】
【発明の属する技術分野】
本発明は、ナビゲーションの経路と、その経路の走行中に再生された楽曲との関連付けを用いて楽曲を容易に選択する車載情報機器、経路楽曲情報データベース作成方法、楽曲情報検索方法、情報処理方法及びコンピュータプログラムに関するものである。
【０００２】
【従来の技術】
近年、車社会の発達、コンピュータ技術やデジタルオーディオ技術の進歩に伴い、車載情報機器として、カーナビゲーションシステム、カーオーディオシステムやこれらを組み合わせた複合システムが普及している。さらに、データ記録技術の進歩に伴い、ＣＤ−Ｒなどの記録媒体にＭＰ３などの圧縮形式で多量の楽曲データを記録し、車載システムで再生して楽しむ用途も広がっている。
【０００３】
このような多量の楽曲データの中から目的の楽曲を探し出して再生したい場合、従来の例としては、例えばディレクトリなどの階層構造をとるような記録方式であれば、ユーザー自身の記憶やディレクトリ名をもとに階層構造を順に辿り目的の楽曲を得る手法が知られていた。また、機器の持つ検索機能を使って楽曲名や楽曲に対応付けされた１つ以上のキーワードを検索キーにして目的の楽曲を得る手法や、楽曲データが作成された日時もしくは使用された日時や楽曲データが使用された頻度をもとに検索する手法なども提案されている。
【０００４】
また、自車及び自車の周辺の状況に応じて、再生する楽曲を自動的に検索し、検出された楽曲をオーディオ装置で自動的に再生するもの（例えば特許文献１）、ユーザーにより設定された言葉を用いて所望の楽曲を検索できる楽曲検索システム（例えば特許文献２）、音楽と関連付けられている地図上の施設、地点、地域等を容易に検索するナビゲーション装置（特許文献３）なども知られている。
【０００５】
【特許文献１】
特開２００１−３２４３３５
【特許文献２】
特開２００３−０２２２８２
【特許文献３】
特開２００２−３１１９８６
【０００６】
【発明が解決しようとする課題】
しかしながら、上記のような従来技術では、所望の楽曲を選択する操作が煩雑という問題があった。例えば、ユーザーが階層構造の中から必要な情報を直接探すには、選択した階層をその都度確認せねばならず、特にデータの位置が階層の奥深くの場合は、階層の選択が繰り返しとなり特に煩雑であった。また、キーワードによる検索では、あらかじめそれぞれのデータにキーワードを付加する操作を要するなどやはりユーザーの入力操作の負担が大きかった。
【０００７】
また、車載情報機器の操作は一般に、ボタン、タッチパネル、音声などが用いられるが、狭い車内で昼間の直射日光や夜間の暗さに耐えての操作の容易さや、安全性のさらなる改善を考えると、極力簡潔で効率的な検索操作が潜在的に待望されていた。
【０００８】
本発明は、上記のような従来技術の問題点を解決するもので、その目的は、ナビゲーションの経路と、その経路の走行中に再生された楽曲との関連付けを用いて楽曲を容易に選択する車載情報機器、経路楽曲情報データベース作成方法、楽曲情報検索方法、情報処理方法及びコンピュータプログラムを提供することである。
【０００９】
【課題を解決するための手段】
上記の目的を達成するため、請求項１の発明は、ナビゲーションを行うナビゲーション手段と、楽曲の再生手段と、書き換え可能な記憶手段と、を備えた車載情報機器において、コンピュータが、前記ナビゲーションにおいて設定された経路を表す経路情報と、その経路を走行中に再生された前記楽曲を表す楽曲情報とを対応付けて前記記憶手段に記録する手段を備えたことを特徴とする。
【００１０】
請求項５の経路楽曲情報データベース作成方法は、請求項１の発明を方法という見方から捉えたもので、書き換え可能な記憶手段を備え、ナビゲーションを行うナビゲーション処理と、楽曲の再生処理と、を行う車載情報機器のコンピュータが、前記ナビゲーションにおいて設定された経路を表す経路情報と、その経路を走行中に再生された前記楽曲を表す楽曲情報とを対応付けて前記記憶手段に記録する処理を含むことを特徴とする。
【００１１】
請求項２の発明は、ナビゲーションを行うナビゲーション手段と、楽曲の再生手段と、前記ナビゲーションにおける経路の経路情報とその経路に対応する前記楽曲の楽曲情報とを対応付けて格納した記憶手段と、を備えた車載情報機器において、楽曲情報検索の要求があった場合に、前記記憶手段に記録されている前記各経路情報の各経路を提示してその選択を受け付け、選択された前記経路に対応する前記各楽曲情報の各楽曲を提示してその選択を受け付けることで前記楽曲を検索する手段を備えたことを特徴とする。
【００１２】
請求項６の楽曲情報検索方法は、請求項２の発明を方法という見方から捉えたもので、ナビゲーションを行うナビゲーション処理と、楽曲の再生処理と、を行い、前記ナビゲーションにおける経路の経路情報とその経路に対応する楽曲の楽曲情報とを対応付けて格納した記憶手段を備えた車載情報機器のコンピュータが、楽曲情報検索の要求があった場合に、前記記憶手段に記録されている前記各経路情報の各経路を提示してその選択を受け付け、選択された前記経路に対応する前記各楽曲情報の各楽曲を提示してその選択を受け付けることを特徴とする。
【００１３】
請求項３の発明は、ナビゲーションを行うナビゲーション手段と、楽曲の再生手段と、書き換え可能な記憶手段と、を備えた車載情報機器において、前記ナビゲーションにおいて設定された経路を表す経路情報と、その経路を走行中に再生された前記楽曲を表す楽曲情報とを対応付けて前記記憶手段に記録する手段と、楽曲情報検索の要求があった場合に、前記記憶手段に記録されている前記各経路情報の各経路を提示してその選択を受け付け、選択された前記経路に対応する前記各楽曲情報の各楽曲を提示してその選択を受け付けることを特徴とする。
【００１４】
請求項７の情報処理方法は、請求項３の発明を方法という見方から捉えたもので、請求項５記載の経路楽曲情報データベース作成方法と、請求項６記載の楽曲情報検索方法と、を組み合わせたことを特徴とする。
【００１５】
請求項８の発明は、請求項１，５，２，６，３，７の発明をコンピュータプログラムという見方から捉えたもので、書き換え可能な記憶手段を備えた車載情報機器のコンピュータを制御することにより、ナビゲーションと楽曲の再生処理とを行わせるコンピュータプログラムにおいて、そのプログラムは前記コンピュータに、前記ナビゲーションにおいて設定された経路を表す経路情報と、その経路を走行中に再生された前記楽曲を表す楽曲情報とを対応付けて前記記憶手段に記録させ、楽曲情報検索の要求があった場合に、前記記憶手段に記録されている前記各経路情報の各経路を提示してその選択を受け付け、選択された前記経路に対応する前記各楽曲情報の各楽曲を提示してその選択を受け付けることを特徴とする。
【００１６】
請求項４の発明は、請求項１から３のいずれかに記載の車載情報機器において、前記記憶手段は、ハードディスク装置であることを特徴とする。
【００１７】
これらの態様では、ナビゲーションで設定した目的地や経路などの経路情報と、そのとき聞いた曲とを自動的に対応付けてハードディスク装置等の記憶手段に記憶し、後で「どこへ行ったとき」「どの辺で」聞いたかをユーザーが指定する簡単な操作で、多量の楽曲からでも目的の曲を絞込む等の楽曲検索が効率的に行える優れた操作性が実現される。
【００１８】
【発明の実施の形態】
次に、本発明の実施の形態（以下「実施形態」と呼ぶ）について図面を参照して具体的に説明する。なお、本実施形態は、スピーカや各種ドライブなど必要な周辺機器を備えたコンピュータをプログラムで制御することにより実現できるが、この場合のハードウェアやプログラムの実現態様は各種変更可能であるから、以下の説明では、本発明及び本実施形態の各機能を実現する仮想的回路ブロックを用いる。
【００１９】
〔１．構成〕
具体的には、本実施形態は、本発明の車載情報機器（以下「本システム」と呼ぶ）と、本システム上で実行される経路楽曲情報データベース作成方法と、楽曲情報検索方法と、これら経路楽曲情報データベース作成方法及び楽曲情報検索方法とを組み合わせた情報処理方法と、関するもので、これらを実現するコンピュータプログラムや、そのようなプログラムを記録した記録媒体としても把握可能であり、そのようなプログラムをインターネットや携帯電話網などの通信ネットワーク経由で各車両の車載情報機器にダウンロードして実行させることも本発明の一態様である。
【００２０】
具体的には、本システムは、車両の現在位置や出発地から目的地までの経路計算と経路ガイドすなわち誘導案内を行うようなカーナビゲーションシステムと、楽曲を再生するカーオーディオシステムの機能を併せ持った車載システムで、図１の構成図に示すように、本システム全体の制御を行うメインＣＰＵ装置８を中心とした次の各要素を備える。すなわち、絶対位置及び絶対方向検出部１は、例えばＧＰＳ（Ｇｌｏｂａｌ  Ｐｏｓｉｔｉｏｎｉｎｇ  Ｓｙｓｔｅｍ）装置などで、車両が地球上のどの絶対位置にあるか電波航法技術を用いて検出するものであり、そこで検出された情報はメインＣＰＵ装置８へ送られる。
【００２１】
相対位置及び相対方向検出部２は、例えば加速度センサーやジャイロ装置など自律航法測位用の部分で、トンネル内やビルの間のようにＧＰＳの電波が十分に取得できない場所においても、過去の経路情報と組み合わせることで現在位置を推定するために必要なデータを得る装置であって、これらの情報はメインＣＰＵ装置８へ送られる。
【００２２】
車両走行情報取得部３は、例えばハンドル舵角センサーや車速センサーであって、相対位置や相対方向の微弱な変化成分を取得できるもので、現在位置の精度を改善するデータを取得でき、それらの情報はメインＣＰＵ装置８へ送られる。
【００２３】
記憶媒体装置４は、ＲＯＭ／ＣＤ−ＲＯＭ／ＤＶＤ−ＲＯＭ等の読み出し専用であり、例えばナビゲーション用の道路地図情報や、道路地図情報に付随した店舗情報や観光地情報および位置情報等が保存されており、メディアが交換されるまで内容は変更されない。また、これらの情報は後に述べる書換可能記憶媒体装置６に記憶されていてもよい。
【００２４】
一時記憶媒体装置５は、例えばＤＲＡＭで、メインＣＰＵ装置８のプログラムエリアやワークエリアなど、一時的な記憶に用いられるものである。
【００２５】
書換可能記憶媒体装置６は、例えばハードディスクドライブ（ＨＤＤ）装置やフラッシュメモリなどであり、記憶媒体装置４に記憶されている情報と最新の情報との差分情報や、目的地を設定し経路が計算された場合のその結果の情報や、ユーザーデータとしてＭＰ３等による多数の楽曲データやそのプレイリスト等があらかじめ記憶されているものとする。
【００２６】
記憶媒体制御部７は、記憶媒体装置４や書換可能記憶媒体装置６等を制御する部分で、メインＣＰＵ装置８はこれらを直接制御する事なく、要求に基づいて記憶媒体装置４等に記憶されたデータを容易に参照することが可能となる。
【００２７】
入力部９は、例えば本システムに設置した操作ボタン群や、後に述べる画像表示装置１２の表面に重ねて設置したタッチパネルや、リモコン等に設置した操作ボタン群などのスイッチ類であり、ユーザーが機器を操作できる手段である。これらの入力手段以外にも、ユーザーの音声をマイクに入力してその音声を認識することで機器操作を実施することも可能である。
【００２８】
目的地経路情報データベース１０は、過去に設定した目的地とそこへ至る経路計算結果と実際に走行した経路と、を表す経路情報を記憶しておくもので、ここでは説明のため独立して示すが、実際には、例えば書換可能記憶媒体装置６等に保存されている。さらに、これらの経路情報は、その経路を走行中に選択され再生された楽曲データを表す楽曲情報と対応付けされ、これら対応情報や楽曲情報も共に記憶される。
【００２９】
画像合成部１１は、本システム全体を制御するメインＣＰＵ装置８の制御下で、本システムから操作結果や情報検索結果などを含む各種の出力データや状態などを表す地図や文字等の画像の情報を作成する部分であり、画像表示装置１２は、画像合成部１１にて作成された画像を表示するディスプレイで、例えばバックライト付きＴＦＴ液晶表示パネルなどである。
【００３０】
音声合成部１３は、走行ガイドすなわち誘導案内や操作ガイドや操作結果等の情報を音声によって出力するための音声データを作成する部分であり、音声出力装置１４は、音声合成部１３にて作成された音声をスピーカー等から出力する部分である。これら音声合成部１３及び音声出力装置１４は、各情報の内容を音声で読み上げることでユーザーに提供する手段を構成しており、画像合成部１１及び画像表示装置１２と相補的な関係にある。
【００３１】
また、メインＣＰＵ装置８は、上記のようなプログラムの作用により、次のように作用する各手段としての役割を果たす（図１）。
【００３２】
〔２．作用〕
上記のように構成される本実施形態は次のように作用する。
〔２−１．全体的作用〕
ナビゲーション制御部８１は、ナビゲーションを行うナビゲーション手段であり、ナビゲーションは、道路地図データを用いて、ＧＰＳなどで自車位置を逐次検出し周辺地図上に画面表示したり、指定された目的地への最適な誘導経路を探索しそれに沿って進行方向等を画面表示や合成音声などで誘導案内するものである。また、オーディオ制御部８２は、楽曲の再生手段であり、図示しないアンプ、スピーカシステムなどを用いて楽曲を再生する。
【００３３】
また、対応記録部８３は、ナビゲーション制御部８１において設定された経路を表す経路情報と、その経路を走行中に選択されオーディオ制御部８２により再生された楽曲を表す楽曲情報とを対応付けて書換可能記憶媒体装置６に記録する。また、選択処理部８４は、ユーザーの操作に応じて、楽曲データの選択の処理（以下「選曲」と呼ぶ）を行う部分である。
【００３４】
〔２−２．選曲の態様〕
選択処理部８４による選曲の態様すなわち手法（方法）としては、従来と共通の数種類のほか、その他に本発明及び本実施形態特有のものが選択できる。すなわち、まず、ユーザーによってＨＤＤ等に多量に保存されるデータは、一般的には階層構造を取っている場合が多い。そして、これらデータの中から目的のデータを検索する場合、例えばＨＤＤ内に存在する多量の楽曲データの中から目的の楽曲データを探し出す場合には、
（１）データの一覧をディスプレイ上に表示してユーザーにその中から選択させる態様（「直接検索」と呼ぶことにする）、
（２）楽曲の名前やあらかじめユーザーによって関連付けされたキーワードをもとに検索をおこなって全楽曲データの中から楽曲データを絞り込んで提示しその中からユーザーに選択させる態様（「キーワード検索」と呼ぶことにする）、
（３）楽曲がＨＤＤに保存された日時や再生された日時を楽曲ごとにデータベースへ記録しておき、日時をもとに全楽曲データの中から楽曲データを絞り込んで提示しその中からユーザーに選択させる方法（「時間検索」と呼ぶことにする）、
（４）再生した頻度やその他の統計情報を楽曲ごとにデータベースへ記録しておき、この頻度順にソートしてユーザーに提示する方法（「統計検索」と呼ぶことにする）、
などがある。
【００３５】
さらに、これらの手法を２つ以上組み合わせて使用することも可能であるが、本実施形態では、これらの検索方法に加え、次のような検索方法を新たに選択可能である。すなわち、楽曲情報検索の要求があった場合、選択処理部８４は、書換可能記憶媒体装置６に記録されている前記各経路情報の各経路を提示してその選択を受け付け、選択された前記経路に対応する前記各楽曲情報の各楽曲を提示してその選択を受け付ける。
【００３６】
〔２−３．経路情報と楽曲情報の記録〕
ここで、本実施形態における選曲に関する処理手順の例を図２に示す。例えば、出発地「Ａ地点」において、ユーザがナビゲーション制御部８１で目的地を「Ｂ地点」のように設定すると（ステップ１）、出発地から目的地間の経路が双方向探索など何らかの方法で計算される（ステップ２）。なお、このように計算された経路に基く誘導案内は従来と同様であり、例えば、各種位置検出装置を用いることで検出された自車位置を中心として周辺地図がディスプレイに表示されると同時に、地図中の経路が特別な色で表示される。
【００３７】
このようにナビゲーション制御部８１が提示する経路ガイドすなわち誘導案内を参考に、ユーザーは目的地へ向かうが、このとき、例えば図３に例示するような目的地経路情報データベース１０に、例えば「Ａ地点からＢ地点へ移動時」といった情報が記録される（ステップ３）。そして、目的地への運転途中、ユーザーが音楽を聴きたくなり、選択処理部８４を利用して何らかの検索手法を用いて提示されたリストの中からある楽曲「ＭＭＭ」を検索して楽曲再生したとすると（ステップ１１）、対応記録部８３は、楽曲「ＭＭＭ」について「Ａ地点からＢ地点へ移動時」という情報の対応付けを行い、目的地経路情報データベース１０へ記録する（ステップ１２）。
【００３８】
ところで、楽曲を検索するときに、ユーザーが操作により機能表示の選択肢から「曲検索」を呼び出すものとし、そこから先の遷移の一例を図４に示す。すなわち「曲検索」に続く検索方法表示では
「一覧表示」      …（直接検索を行う）
「最近聞いた曲」  …（時間検索を行う）
「日付順一覧」    …（同上）
「よく聞く曲」    …（統計検索を行う）
「曲名検索」      …（楽曲名を使ってキーワード検索を行う）
「キーワード検索」…（キーワード検索を行う）
といった従来からの各選択肢に加え、本発明及び本実施形態で新規に提案する
「移動中曲リスト」
が表示されるが、この点は後述する。
【００３９】
表示されたこれら検索方法から、ユーザーは希望するものを入力部１１で選択する。ここで例えば従来からの「キーワード検索」をユーザーが選択したとすると（ステップ４）、続いてキーワードの入力を促すような内容がディスプレイに表示され、入力されたキーワードを持つ楽曲データが全て提示される（ステップ５）。また、検索条件の追加により複合条件すなわち複数の検索方法を使うことで、提示された楽曲データの中からさらに絞り込みを行うことも可能である（ステップ９，１０）。
【００４０】
同様に、選択処理部８４により、楽曲「ＮＮＮ」「ＬＬＬ」・・・を選択して再生したとすると（ステップ１１）、対応記録部８３は、楽曲「ＮＮＮ」「ＬＬＬ」についてもそれぞれ「Ａ地点からＢ地点」という経路情報との対応付けを行い、目的地経路情報データベース１０へ記録する（ステップ１２）。なお、楽曲を再生する場合は、選択するデータは再生順番を記述したプレイリストのようなものでもよい。図３は、このように情報を記録した目的地経路情報データベース１０のエントリ（内容）の一例を示している。
【００４１】
〔２−４．移動中曲リストによる選択〕
後日、ユーザーが例えば「Ｃ地点からＤ地点」という経路設定をしたとすると、ナビゲーション制御部８１によって経路が計算され、経路ガイドすなわち誘導案内を画面表示や音声合成などで提示する。ユーザーはこのように提示される経路ガイドを参考に目的地へ向う。ここでユーザーはある楽曲を聞きたくなり、その楽曲は先日「Ａ地点からＢ地点」への移動中に聞いた楽曲であったことを思い出し、上に述べた「曲検索」機能を呼び出したとする。
【００４２】
「曲検索」に続いては、図４に示すように「一覧表示」「最近聞いた曲」「日付順一覧」「よく聞く曲」「曲名検索」「キーワード検索」に加えて、本発明による「移動中曲リスト」という項目がディスプレイに表示されるが、この「移動中曲リスト」を入力部１１により選択すると（ステップ４）、選択処理部８４により位置経路情報データベース１０が参照され、経路情報リストが提示される（ステップ６）。すなわち、「Ａ地点からＢ地点へ移動時」「Ｘ地点からＹ地点へ移動時」「新緑ドライブコース走行時」・・・というような、過去に目的地やルート設定をした履歴が新しい順序などの順番でディスプレイに表示される。
【００４３】
そして、提示された経路情報リストのなかから、例えば「Ａ地点からＢ地点へ移動時」という項目を入力部１１により選択すると（ステップ７）、選択処理部８４は、目的地経路情報データベース１０を参照することで「Ａ地点からＢ地点」という経路情報に対応付けされた楽曲データ「ＭＭＭ」「ＮＮＮ」「ＬＬＬ」・・・といった楽曲データのリストをディスプレイに表示する（ステップ８）。
【００４４】
このように、本実施形態では、どこへ出かけたときに聞いた曲かを指示することで、多量の楽曲データの中から目的のものを絞り込むことが新たに可能となり、「いつ聞いた曲か」という時間をもとにした検索ではなく、「どこへ行ったときに聞いた曲か」という場所をもとにした検索が容易になる。
【００４５】
〔３．効果〕
以上のように、本実施形態では、ナビゲーションで設定した目的地や経路などの経路情報と、そのとき聞いた曲とを自動的に対応付けてハードディスク装置等の記憶手段に記憶し、後で「どこへ行ったとき」「どの辺で」聞いたかをユーザーが指定する簡単な操作で、多量の楽曲からでも目的の曲を絞込む等の楽曲検索が効率的に行える優れた操作性が実現される。
【００４６】
〔４．他の実施形態〕
なお、本発明は上記実施形態に限定されるものではなく、次に例示するような他の実施形態も含むものである。例えば、上記の実施形態では、経路で再生した楽曲データにその経路情報を対応付けしているが、ＣＤなどから楽曲を録音してＨＤＤへ記録する際に、「この経路で聞きたい」といった具合にその楽曲データに対して経路情報を対応付けしてもよい。また、書換可能な記憶手段はハードディスクドライブには限定されず、ＤＶＤ−ＲＡＭ、ＤＶＤ−ＲＷやＣＤ−ＲＷなどのドライブや各種フラッシュメモリカードなどにも置換可能である。
【００４７】
また、経路情報に対応付ける対象として、楽曲データだけでなく、表示パネルの照明パターンのデータ、グラフィックイコライザやその他のスイッチで調整される音質やバランスなどのデータ、走りのモードを定めるエンジンやサスペンションの制御データなど各種のデータを、経路と対応付けて記録し、後で容易に呼び出せるようにしてもよい。
【００４８】
【発明の効果】
以上のように、この発明によれば、ナビゲーションの経路と、その経路の走行中に再生された楽曲との関連付けを用いて楽曲を容易に選択する車載情報機器、経路楽曲情報データベース作成方法、楽曲情報検索方法、情報処理方法及びコンピュータプログラムを提供することができる。
【図面の簡単な説明】
【図１】本発明の実施形態の構成を示す機能ブロック図。
【図２】本発明の実施形態における選曲に関する処理手順を示すフローチャート。
【図３】本発明の実施形態における目的経路情報データベースの内容例を示す図。
【図４】本発明の実施形態における画面表示の遷移を示す概念図。
【符号の説明】
１…絶対位置及び絶対方位検出部
２…相対位置及び相対方位検出部
３…車両走行情報取得部
４…記憶媒体装置
５…一時記憶媒体装置
６…書換可能記憶媒体装置
７…記憶媒体制御部
８…メインＣＰＵ装置
９…入力部
１０…目的経路情報データベース
１１…画像合成部
１２…画像表示装置
１３…音声合成部
１４…音声出力装置
８１…ナビゲーション制御部
８２…オーディオ制御部
８３…対応記録部
８４…選択処理部
【図１】
2004294262.tif 000003
【図２】
2004294262.tif 000004
【図３】
2004294262.tif 000005
【図４】
2004294262.tif 000006